(57)【要約】【課題】給湯装置の底面を支持する基板に搭載された発泡断熱容器に収納された水熱交換器は、基板を介在して周囲を覆う保護カバーと給湯装置の外装を形成する前板とを締結ビスにて締結する装置前面側での片支持固定となり、運転時における水熱交換器単体の振幅が大きく振動音が発生し防音性能が低下していた。その課題を解消する固定構造を用いた防音性能に優れたヒ−トポンプ給湯装置が求められている。【解決手段】水熱交換器４を収納する発泡断熱容器１４底面に基板１１の絞り形状１９に沿った凸形状２０を設けると共に、発泡断熱容器１３，１４の外周を覆う保護カバ−１５に遮音板１２に接触する折曲げ面２０を設け、隣接する遮音板１２より折曲げ面２０を挟み込むＬ型の切起し形状を設けた。さらに折曲げ面２０の遮音板１２のＬ型の切り起し形状１９との連結固定部を除く折曲げ面２０を延長し凹形状を形成した。【選択図】図３
2005147619.tif 000002
【特許請求の範囲】
【請求項１】
基板上に少なくとも圧縮機、空気熱交換器、水熱交換器を載置して構成されるヒートポンプ式熱源装置であって、前記基板は載置面に凹凸形状を有し、また前記水熱交換器は断熱部材で外装されているとともに、前記断熱部材が前記基板の凹凸形状に嵌合するように形成されていることを特徴とするヒートポンプ式熱源装置。
【請求項２】
前記水熱交換器は前記圧縮機とは遮音板をはさんで区画された空間にそれぞれ配置されているとともに、前記水熱交換器には断熱部材の上からその周囲を覆うように構成された保護カバーを具備しており、この保護カバーは前記遮音板に対して固定される係合部を有することを特徴とする請求項１記載のヒートポンプ式熱源装置。
【請求項３】
前記水熱交換器には断熱部材の上からその周囲を覆うように構成された保護カバー有し、その前面側は前記基板の前面側に固定されており、さらに前記保護カバーの上面には空気熱交換器に通風させるための送風手段を取りつける送風手段取り付け具を載置固定するとともに、前記送風手段取り付け具はその上端部において対向して配置されている熱交換器の上部及び緩衝部材を介してヒートポンプ式熱源装置の天面部を覆う天板により押圧されて固定されることを特徴とする請求項１記載のヒートポンプ式熱源装置。
【発明の詳細な説明】
【技術分野】
【０００１】
本発明は、ヒートポンプ式熱源装置に関するものであり、より詳しくは、水熱交換器を具備したヒートポンプ式熱源装置の構造に関するものである。
【背景技術】
【０００２】
従来のヒートポンプ式給湯装置は図５に示すように冷凍サイクル１と給湯サイクル２を備える。冷凍サイクル１は圧縮機３と、給湯用の水熱交換器４と熱源用の空気熱交換器５とが冷媒循環用配管９にて順次接続して構成される。また給湯サイクル２は、貯湯タンク６と水循環用配管７とを備え、この水循環用配管７には、水循環間用ポンプ８と熱交換路１０とが設置されている。この場合の熱交換経路１０は給湯用の水熱交換器４にて構成される。前記構成により、圧縮機３とポンプ８を駆動させると貯湯タンク６の底部に設けた取水口から貯留水が水循環用配管７に流出し、これが熱交換経路１０を流通する。その際貯留水は水熱交換器４によって加熱され、貯湯タンク６に戻る。これによって貯湯タンク６に高温の温湯を貯めるものである（特許文献１）。
【０００３】
さらに図６、７に示すように圧縮機３と水熱交換器４と空気熱交換器５とが冷媒循環用配管９にて順次接続されるヒートポンプ式熱源装置は、装置の底面を支持する基板１１の上部に騒音防止用の遮音板１２によって区画された一方に圧縮機３を搭載し、さらにもう一方の区画である送風回路内には、遮音板１２に隣接して上下に分割された発泡断熱容器１３，１４にて外郭を密閉し、さらにその周囲を保護カバー１５にて覆われた水熱交換器４が搭載され、前記水熱交換器４の上部に送風ファン１６が搭載されている。加えて前記水熱交換器４と送風ファン１６の背面側には空気熱交換器５が搭載された構成となっている。
【０００４】
加えて、上下に分割された発泡断熱容器１３，１４にて外郭を密閉し、さらにその周囲を保護カバー１５にて覆われた水熱交換器４は、装置の外装を形成する前板１７と基板１１及び、保護カバー１５を締結ビス１８にて締結固定する構成となっている。
【特許文献１】特開２００３−２２２３９２号公報
【発明の開示】
【発明が解決しようとする課題】
【０００５】
しかしながら、上記従来の構成では装置の底面を支持する基板１１に搭載される水熱交換器４は、基板１１を隔て、周囲を覆う保護カバー１５と給湯装置の外装を形成する前板１７とを締結ビス１８にて固定する、給湯装置の前面側のみでの片支持固定となるため、運転時に水熱交換器４に冷媒及び水が循環した際、水熱交換器４単体の振幅が大きく振動音が発生し、防音性能を低下させるという課題を有していた。
さらに水熱交換器４より発生する振動音は、水熱交換器４を搭載する基板１１及び、水熱交換器４に隣接して形成された遮音板１２にも伝わり振動音を増大するという課題を有していた。
【０００６】
加えて商品輸送時における振動及び、衝撃などの外力が給湯装置に加わった場合、重量物である水熱交換器４の移動は大きく、水熱交換器４及び、水熱交換器４とロウ付けにて順次接続される水循環用配管７と冷媒循環用配管９には応力が加わり損傷するという課題を有していた。
【０００７】
また、組立作業時に上下に分割した発泡断熱容器１３，１４に収納された水熱交換器４を基板１１に設置する際に、位置決めとなる目安が無く作業性に課題があった。
【０００８】
本発明は、前記従来の課題を解決するものであり、給湯装置内における水熱交換器の位置決め及び固定を確実に行い、製品の運転時における防音性能の向上と、商品輸送時に加わる外力に対する保護性を高めた組立時の作業性に優れたヒートポンプ式熱源装置を提供することを目的とする。
【課題を解決するための手段】
【０００９】
前記従来の課題を解決するために本発明のヒートポンプ式熱源装置は、基板上に少なくとも圧縮機、空気熱交換器、水熱交換器を載置して構成されるヒートポンプ式熱源装置であって、前記基板は載置面に凹凸形状を有し、また前記水熱交換器は断熱部材で外装されているとともに、前記断熱部材が前記基板の凹凸形状に嵌合するように形成されていることを特徴とする。
【発明の効果】
【００１０】
本発明は、給湯装置内における水熱交換器の位置決め及び固定を確実に行うことができるヒートポンプ式熱源装置を提供することができる。
【発明を実施するための最良の形態】
【００１１】
本願発明のヒートポンプ式熱源装は、基板上に少なくとも圧縮機、空気熱交換器、水熱交換器を載置して構成されるヒートポンプ式熱源装置であって、前記基板は載置面に凹凸形状を有し、また前記水熱交換器は断熱部材で外装されているとともに、前記断熱部材が前記基板の凹凸形状に嵌合するように形成されている。これにより、組立時における発泡断熱容器にて外郭を密閉された水熱交換器をヒートポンプ式熱源装置の底面を設置する際の位置決めが明確になり作業性の向上が図れる。さらに発泡断熱容器底面に設けた凸形状を基板の絞り形状に嵌め込み設置することにより、発泡断熱容器内部に収納された水熱交換器は基板にて固定されるため、水熱交換器の移動を規制できる構造となり、商品輸送時に加わる外力に対する保護性の向上が図れる。
【００１２】
また本願発明のヒートポンプ式熱源装置は、水熱交換器は圧縮機とは遮音板をはさんで区画された空間にそれぞれ配置されているとともに、水熱交換器には断熱部材の上からその周囲を覆うように構成された保護カバーを具備しており、この保護カバーは遮音板に対して固定される係合部を有する。これにより運転時の冷媒及び水の循環による水熱交換器単体の振幅を抑制し、振動音を低減させることができる。さらに水熱交換器を搭載する基板及び、隣接して配置される遮音板に伝わり増大する振動音も緩和し製品運転時の防音性能の向上が図れる。
【００１３】
また本願発明のヒートポンプ式熱源装は、前記水熱交換器には断熱部材の上からその周囲を覆うように構成された保護カバー有し、その前面側は前記基板の前面側に固定されており、さらに前記保護カバーの上面には空気熱交換器に通風させるための送風手段を取りつける送風手段取り付け具を載置固定するとともに、前記送風手段取り付け具はその上端部において対向して配置されている熱交換器の上部及び緩衝部材を介してヒートポンプ式熱源装置の天面部を覆う天板により押圧されて固定される。これにより、保護カバーの奥側で構成上、また組立上ねじ固定などの確実な固定が困難な場合でも、カバーを上方から確実に抑えることができるので振動を抑制することができる。
【００１４】
以下、本発明の実施の形態について、図面を参照しながら説明する。なおこの実施の形態によって本発明が限定されるものではない。
（実施の形態）
図１に示すように、本発明にまつわるヒートポンプ式熱源装置の主要構造部品の配置を示した斜視図であり、ヒートポンプ式熱源装置の底面を支持する基板１１の上部を遮音板１
２によって区画した一方に圧縮機３を搭載し、もう一方の区画に遮音板１２に隣接して、保護カバ−１５により外郭を覆われ、さらに上下２分割された発泡断熱容器１３，１４によって収納された水熱交換器４を搭載し、またその上部には送風ファン１６が搭載されている。加えて前記水熱交換器４と送風ファン１６の背面側には空気熱交換器５が配置された基本構成において、図２，３に示すように遮音板１２に隣接して配置された水熱交換器４を収納する発泡断熱容器１４の底面に、基板１１の絞り形状１９に沿った凸形状２０を設けたものである。この際、凸形状２０の形成数及び位置は基板の絞り形状及び、水熱交換器４の質量に合せて自由に変更しても良い。
さらに発泡断熱容器１３，１４の周囲を覆う保護カバ−１５に遮音板１２と接触する折曲げ面２１を形成するとともに、隣接する遮音板１２に前記保護カバ−１５に形成した折曲げ面２１の端部と接触する位置より、Ｌ字型の切り起し形状２２を設けたものである。
さらに遮音板１２のＬ型の切起し形状２２との連結固定部を除く折曲げ面２１を延長し、保護カバー１５の折曲げ面２１に凹形状２３を形成したものである
この時、図４に示すように遮音板１２のＬ型の切り起し形状２２が上部から保護カバ−１５の折り曲げ面２１の凹形状２３に挿入され、保護カバ−１５を挟み込み連結固定したものである。
上記構成によって、水熱交換器４を収納する発泡断熱容器１４の底面に設けた凸形状２０が、基板１１の絞り形状１９に嵌り込み、発泡断熱容器１３，１４に収納された水熱交換器４は基板１１にて固定され、商品輸送時における振動及び衝撃に対して水熱交換器の移動を規制できる構造となり、商品運搬時に加わる外力に対する保護性の向上が図れる。
【００１５】
同時に、組立時における発泡断熱容器１３，１４に収納された水熱交換器４の位置決めが明確になり作業性の向上が図れる。
また、発泡断熱容器１３，１４の周囲を覆う保護カバー１５に遮音板１２と接触する折曲げ面２１を設け、さらに隣接する遮音板１２に前記保護カバー１５に形成した折曲げ面２１の端部と接触する位置より、折曲げ面２１を挟み込むＬ型の切起し形状２２を形成することにより、基板１１上部を区画する遮音板１２にて保護カバー１５を上部より押さえ込み固定する構造となり、保護カバー１５内部に具備された発泡断熱容器１３，１４及び水熱交換器４も同時に固定することが可能となり、運転時の水熱交換器４単体の振幅を抑制し、振動音を低減させることができる。
さらに水熱交換器４を搭載する基板１１及び、隣接して配置される遮音板１２に伝わり増大する振動音も緩和し製品運転時の防音性の向上が図れる。
【００１６】
また、遮音板１２のＬ型の切起し形状２２との連結部を除く折曲げ面２１を延長し、保護カバー１５の折曲げ面２１に凹形状２３を形成することにより、内部に水熱交換器４及び発泡断熱容器１３，１４を具備した保護カバー１５の折曲げ面２１に遮音板１２を設置する際の位置決めが可能となる。
【００１７】
同時に発泡断熱容器１３，１４の周囲を覆う保護カバ−１５は、折曲げ面２１の凹形状２３により製品前後方向への移動を規制し、さらに商品輸送時に加わる外力からの損傷を防ぐことができる。
【００１８】
また、図１、２に示すように、ヒートポンプ熱源装置の送風路下方部に配置されている水熱交換器４には発泡断熱容器１３、１４に覆われ、更に保護カバー１５により覆われているので、送風ファン１６で流動される空気の送風路においても断熱されかつ保護されている。しかし、組立構成上、保護カバー１５は前面側の下方部、及び側部は組立時に容易に固定できるが、空気熱交換器５に対向する側の固定は保護カバーを設置するまでに既に設置されている空気熱交換器５と水熱交換器４との隙間がそれほど大きく取れないため、この間隙でねじ固定を行うことが困難となる。従ってこのままでは保護カバーは背面側で十分固定されないため、振動による異音が発生する可能性がある。
【００１９】
そこで、本実施の形態では、保護カバーの上部に送風ファン取り付け台１６ａを固定し、この取り付け台の天面を緩衝材１６ｂを介して天板（図示せず）で押さえ込むようにしている。送風ファン取り付け台１６ａは保護カバー１５の上面の装置背面側に取り付けられている。これにより、保護カバー１５の上面の装置背面側は上方から押さえつけられるように固定される。一方保護カバーの内部には発泡断熱容器１３、１４に覆われた水熱交換器があるため、上述のように上方から押さえつけられれば、保護カバーを含めてこれらの構造物は相互に固定されることになる。従って、保護カバーの背面側をねじなどで確実に固定しなくても、装置の振動などによる異音の発生など、保護カバーの背面側を固定しないことによる不具合を防止することができる。
【産業上の利用可能性】
【００２０】
本発明は、水熱交換器を搭載するヒートポンプ熱源装置に対して有効に利用できる。
【図面の簡単な説明】
【００２１】
【図１】本発明の実施形態におけるヒートポンプ式熱源装置の斜視図
【図２】本発明の実施形態における水熱交換器の収納構造を示す斜視図
【図３】本発明の実施形態における水熱交換器の取付構造を示す断面図
【図４】本発明の実施形態における保護カバ−と遮音板の連結固定部を示す拡大斜視図
【図５】従来例のヒートポンプ式熱源装置の冷凍，給湯サイクル図
【図６】従来例におけるヒートポンプ式熱源装置正面図
【図７】従来例における水熱交換器の取付構造を示す断面図
【符号の説明】
【００２２】
２  給湯サイクル
３  圧縮機
４  水熱交換器
５  空気熱交換器
１０  熱交換経路
１１  基板
１２  遮音板
１３  発泡断熱容器
１４  発泡断熱容器
１５  保護カバ−
１６  送風ファン
１６ａ  ファンモータ取り付け台
１７  前板
１８  締結ビス
１９  絞り形状
２０  凸形状
２１  折曲げ面
２２  切り起し形状
２３  凹形状
【図１】
2005147619.tif 000003
【図２】
2005147619.tif 000004
【図３】
2005147619.tif 000005
【図４】
2005147619.tif 000006
【図５】
2005147619.tif 000007
【図６】
2005147619.tif 000008
【図７】
2005147619.tif 000009